(57)【要約】【課題】使い勝手をよくすることが可能な鏡装置及び洗面化粧台を提供する。【解決手段】鏡面１１を有する鏡体１０Ｂと、前記鏡面１１を前面に立てた姿勢で前記鏡体１０Ｂを支持する支持体２０と、前記鏡体１０Ｂを前記支持体２０に連結する連結部材３０と、を具備し、前記鏡体１０Ｂが、前記連結部材３０により、第１位置と、前記第１位置より前側であって左右または上下にずれた第２位置との間を、前記鏡面１１の向きを維持したままで往復移動自在とされている。【選択図】図４
2019162208.tif 000002
【特許請求の範囲】
【請求項１】
鏡面を有する鏡体と、
前記鏡面を前面に立てた姿勢で前記鏡体を支持する支持体と、
前記鏡体を前記支持体に連結する連結部材と、を具備し、
前記鏡体が、前記連結部材により、第１位置と、前記第１位置より前側であって左右または上下にずれた第２位置との間を、前記鏡面の向きを維持したままで往復移動自在とされている鏡装置。
【請求項２】
前記鏡体が複数備えられている請求項１に記載の鏡装置。
【請求項３】
主鏡体と、前記主鏡体の左方または右方に位置する袖鏡体とを有し、
前記袖鏡体が、前記連結部材により前記支持体に連結され、前記第１位置において前記主鏡体の左方又は右方に配され、前記第２位置において前記主鏡体と前後に重なって配される請求項１又は請求項２に記載の鏡装置。
【請求項４】
前記第１位置に配された前記鏡体により前面が覆われる収納部を有し、
前記鏡体を前記第２位置に移動することにより前記収納部が開放される請求項１ないし請求項３のいずれか一項に記載の鏡装置。
【請求項５】
前記鏡体の左右方向における一端部に、前記鏡面を回動させる回動軸が備えられている請求項１ないし請求項４のいずれか一項に記載の鏡装置。
【請求項６】
前記鏡体が複数備えられ、
前記連結部材が、前記第２位置において前記鏡体同士が突き当たらないように前記鏡体の移動領域を定めている請求項１ないし請求項５のいずれか一項に記載の鏡装置。
【請求項７】
請求項１ないし請求項６のいずれか一項に記載の鏡装置が洗面台の上側に備えられている洗面化粧台。
【発明の詳細な説明】
【技術分野】
【０００１】
本発明は、鏡装置及び洗面化粧台に関する。
【背景技術】
【０００２】
従来、鏡面を有する鏡体が、連結部材によって支持体に連結されてなる鏡装置が知られている。例えば下記特許文献１に記載の鏡装置は、キャビネット本体の前面に、主鏡と、主鏡の左右両側に位置する一対の袖鏡とが取り付けられている。主鏡は、左右方向における一端部が、蝶番によりキャビネット本体の前面に連結されている。袖鏡は、キャビネット本体の前面に連結されたフレームを介してキャビネット本体に連結されている。フレームの一端部は、キャビネット本体に蝶番により連結され、袖鏡は、フレームの他端部に蝶番により連結されている。主鏡及び袖鏡はいずれも回動自在であり、袖鏡は、斜めに回動させて手前側に引き寄せ、主鏡より前方に配置することができる。
【先行技術文献】
【特許文献】
【０００３】
【特許文献１】特許３６４９７２１号公報
【発明の概要】
【発明が解決しようとする課題】
【０００４】
しかしながら、上記のような構成では、例えばコンタクトレンズの装着や髭剃り等、細部を拡大して映すべく、袖鏡を手前側に引き寄せる場合、袖鏡は使用者の正面に対して角度を変えながら移動してくる。一般に、使用者の正面に対して鏡面が傾いていると映しにくいため、使用者は適宜、袖鏡の角度調整をしなければならず、使い勝手が悪い、という問題があった。
【０００５】
本発明は上記のような事情に基づいて完成されたものであって、使い勝手をよくすることが可能な鏡装置及び洗面化粧台を提供することを目的とする。
【課題を解決するための手段】
【０００６】
本発明の鏡装置は、鏡面を有する鏡体と、前記鏡面を前面に立てた姿勢で前記鏡体を支持する支持体と、前記鏡体を前記支持体に連結する連結部材と、を具備し、前記鏡体が、前記連結部材により、第１位置と、前記第１位置より前側であって左右または上下にずれた第２位置との間を、前記鏡面の向きを維持したままで往復移動自在とされているものである。
本発明の洗面化粧台は、前記鏡装置が洗面台の上側に備えられているものである。
【発明の効果】
【０００７】
本発明によれば、鏡面の向きを維持したまま鏡体を第１位置より前方に移動できるから、使用者は、鏡面の角度を適宜調整する等の手間を要しないため、使い勝手をよくすることができる。
【図面の簡単な説明】
【０００８】
【図１】本実施例における鏡装置であって、洗面化粧台に取り付けられた状態を示す斜視図
【図２】鏡装置を示す斜視図
【図３】袖鏡体の鏡面を回動する様子を示す概略図
【図４】袖鏡体を第１位置から第２位置に移動する様子を示す概略図
【図５】第１位置より前方に移動した袖鏡体の鏡面を回動する様子を示す概略図
【図６】他の実施例（１）における鏡装置であって、左右の袖鏡体が第２位置に移動した状態を示す概略図
【発明を実施するための形態】
【０００９】
本発明の好ましい形態を以下に示す。
本発明の鏡装置は、前記鏡体が複数備えられているものとしてもよい。このような構成によれば、使用目的に応じて鏡体を選択して移動することができるから、使い勝手をよりよくすることができる。
【００１０】
また、本発明の鏡装置は、主鏡体と、前記主鏡体の左方または右方に位置する袖鏡体とを有し、前記袖鏡体が、前記連結部材により前記支持体に連結され、前記第１位置において前記主鏡体の左方又は右方に配され、前記第２位置において前記主鏡体と前後に重なって配されるものとしてもよい。このような構成によれば、鏡装置の左方または右方に建物の壁等が近接配置されていても、袖鏡体を前方（第２位置）に移動することができる。
【００１１】
また、本発明の鏡装置は、前記第１位置に配された前記鏡体により前面が覆われる収納部を有し、前記鏡体を前記第２位置に移動することにより前記収納部が開放されるものとしてもよい。このような構成によれば、第１位置に配された鏡体によって収納部を覆い隠し、必要に応じて鏡体を第２位置に移動させて収納部を開放することができる。
【００１２】
また、本発明の鏡装置は、前記鏡体の左右方向における一端部に、前記鏡面を回動させる回動軸が備えられているものとしてもよい。このような構成によれば、鏡体の鏡面を前方に移動させるのみならず回動して斜めにすることができるから、使い勝手をよりよくすることができる。
【００１３】
また、本発明の鏡装置は、前記鏡体が複数備えられ、前記連結部材が、前記第２位置において前記鏡体同士が突き当たらないように前記鏡体の移動領域を定めているものとしてもよい。このような構成によれば、複数の鏡体を第２位置に配置する際に注意を払わなくてよいから、使い勝手をよくすることができる。
【００１４】
＜実施例＞
以下、本発明を具体化した一実施例について、図１〜図５を参照しつつ詳細に説明する。本実施例では、鏡装置が、洗面化粧台Ｓの洗面台Ｗの上側に配されるキャビネットＭである場合について説明する。キャビネットＭは、左右方向における中央部に配される主鏡体１０Ａと、主鏡体１０Ａの左右両側に配される一対の袖鏡体１０Ｂとを備えている。また、キャビネットＭは、主鏡体１０Ａ及び袖鏡体１０Ｂを支持するキャビネット本体（支持体）２０を備えている。キャビネット本体２０は、各鏡体１０Ａ，１０Ｂの鏡面１１を前面に立てた姿勢で支持している。各鏡体１０Ａ，１０Ｂの鏡面１１は、水平面に対して略垂直に立っている。以下、各構成部材において、洗面化粧台Ｓの使用状態における上側（図１の上側）を上方、下側（図１の下側）を下方、前側（図１の左手前側）を前方、後側（図１の右奥側）を後方とし、また右側（図１の左上側）を右方、左側（図１の右下側）を左方として説明する。
【００１５】
キャビネットＭは、樹脂一体成形のキャビネット本体２０を備えている。キャビネット本体２０は、上面部２１、背面部２２、左右一対の側面部２３、及びキャビネット本体２０の内部を仕切る仕切部２４とを備えている（図３参照）。仕切部２４は、キャビネット本体２０の内部を左右方向に複数（本実施例では３つ）に区画するべく一対が設けられている。
【００１６】
キャビネット本体２０の内部は、前面が開放された形態の収納部２５とされている。収納部２５は、キャビネット本体２０の左右方向における中央部に配された中央収納部２５Ａと、中央収納部２５Ａの左右両側に配された一対の袖収納部２５Ｂとを備えている。各収納部２５Ａ，２５Ｂは、図２に示すように、略水平な棚部２６により上下方向に複数に区画されている。各収納部２５Ａ，２５Ｂは、主鏡体１０Ａ又は袖鏡体１０Ｂにより覆われている。すなわち主鏡体１０Ａ及び袖鏡体１０Ｂは、キャビネット本体２０の扉部を構成している。
【００１７】
各鏡体１０Ａ，１０Ｂは、それぞれ上下方向が左右方向より長い長方形の板状をなし、各収納部２５Ａ，２５Ｂの前面全体を覆うことが可能な大きさを有している。主鏡体１０Ａの幅寸法（左右方向の寸法）は、袖鏡体１０Ｂの幅寸法に比して大きくされている。また、一対の袖鏡体１０Ｂの幅寸法は同等とされている。
袖鏡体１０Ｂは、図２に示すように、後面を構成するベース部１２と前面（鏡面１１）を構成する鏡面部１３とを備えた二枚構造とされている。
【００１８】
主鏡体１０Ａの左右方向における一端部（図２では左側の端部）には、鏡面１１を回動させる回動軸（図示せず）が備えられている。主鏡体１０Ａの回動軸は、キャビネット本体２０に直接連結されている。主鏡体１０Ａの回動軸の軸線は上下方向を向いており、主鏡体１０Ａを回動することにより、中央収納部２５が開いた状態または閉じた状態になる。
【００１９】
袖鏡体１０Ｂの左右方向における一端部（主鏡体１０Ａ側に位置する端部）には、鏡面１１を回動させる回動軸（図示せず）が備えられている。袖鏡体１０Ｂの回動軸の軸線は上下方向を向いており、ベース部１２に対して鏡面部１３を回動可能に連結している。
【００２０】
袖鏡体１０Ｂは、図４に示すように、連結部材３０により、第１位置と、第１位置より前側の第２位置との間を、鏡面１１の向きを維持したままで往復移動自在とされている。
連結部材３０は、図４に示すように、袖鏡体１０Ｂを平行移動させる平行リンク機構を備えている。連結部材３０の一端部（以後、第１端部３１と称する）は、袖収納部２５Ｂの側面（仕切部２４）の前端寄りの位置に回動可能に連結されている。連結部材３０の他端部（以後、第２端部３２と称する）は、袖鏡体１０Ｂの後面（ベース部１２）の左右方向における主鏡体１０Ａと反対側の端寄りの位置に連結されている。
【００２１】
連結部材３０は、第１リンク部３３及び第２リンク部３４を備えている。第１端部３１において第１リンク部３３と第２リンク部３４とは、左右にずれた位置に連結されている。また、第２端部３２において第１リンク部３３と第２リンク部３４とは、左右にずれた位置に連結されている。第１リンク部３３は、図２に示すように、上下方向に板面が立った板状をなしている。第２リンク部３４は、第１リンク部３３の上縁又は下縁に沿って設けられたアーム状をなしている。
【００２２】
袖鏡体１０Ｂは、第１位置では、図３に示すように、袖収納部２５Ｂを閉塞している。第１位置は、袖鏡体１０Ｂの移動の始点であり、袖鏡体１０Ｂは、第１位置より後方に移動できないようになっている。第１位置では、袖鏡体１０Ｂの鏡面１１と主鏡体１０Ａの鏡面１１とが面一（前後方向の位置が同じ）になっている。また、第１位置では、連結部材３０は袖鏡体１０Ｂの後面に沿った姿勢になり、袖収納部２５Ｂの空間は大きく確保されている。
【００２３】
袖鏡体１０Ｂは、第２位置では、図４に示すように、袖収納部２５Ｂを開放する。第２位置では、右側の袖鏡体１０Ｂは、第１位置より左方にずれて主鏡体１０Ａの前方に配され、左側の袖鏡体１０Ｂは、第１位置より右方にずれて主鏡体１０Ａの前方に配される。すなわち、第２位置では、袖鏡体１０Ｂは、主鏡体１０Ａと前後に重なって配される。また、第２位置では、袖鏡体１０Ｂは、主鏡体１０Ａの左右方向における中央を第１位置側とは反対側に超えている。第２位置は、袖鏡体１０Ｂの移動の終点であり、袖鏡体１０Ｂは、第２位置より前方に移動できないようになっている。なお、第１位置と第２位置とでは、袖鏡体１０Ｂの高さ位置は同じである。
【００２４】
袖鏡体１０Ｂは、第１位置と第２位置との間を、図４に示すように、弧状の軌跡をなして往復移動する。すなわち袖鏡体１０Ｂは、第１位置から第２位置へ向かう往路と、第２位置から第１位置へ向かう復路とで同じ軌跡をたどる。袖鏡体１０Ｂの鏡面１１は、往路復路ともに、常に同じ向き（水平面に対して垂直であり、かつ使用者の正面に対して平行な向き）を維持している。袖鏡体１０Ｂは、往路又は復路の途中で移動をやめ、その位置に留めることができる。
【００２５】
次に、本実施例のキャビネットＭの使用例を説明する。
本実施例のキャビネットＭは、図３に示すように、左右の袖鏡体１０Ｂをともに第１位置に配して使用することができる。この使用状態では、主鏡体１０Ａと一対の袖鏡体１０Ｂとが、鏡面１１を面一にして左右方向に並び、一つの大きな鏡面を形成する。また、洗面台Ｗの上方の空間を広く使用することができる。
【００２６】
本実施例のキャビネットＭは、図４に示すように、左右の袖鏡体１０Ｂの一方または両方を第１位置よりも前方に配して使用することができる。袖鏡体１０Ｂの位置は、第１位置と第２位置との間において目的に応じた位置に留めることができる。袖鏡体１０Ｂは、第１位置から第２位置に向かってキャビネットＭの左右方向の中心側に寄るため、仮にキャビネットＭの側方に建物の壁面があったとしても、壁面に接触させることなく移動することができる。袖鏡体１０Ｂの鏡面１１は、どの位置であっても正面を向いている。また、袖鏡体１０Ｂを第１位置から前方に移動することで袖収納部２５Ｂが開放されるため、袖収納部２５Ｂから容易に収納物を取り出すことができる。左右両方の袖鏡体１０Ｂを前方に引き寄せた場合には、主鏡体１０Ａよりも近い位置で広い鏡面を形成することができる。
【００２７】
本実施例のキャビネットＭは、各鏡体１０Ａ，１０Ｂの鏡面１１を回動して斜めにし、使用することができる。図３に示すように、左右の袖鏡体１０Ｂをともに第１位置に配したまま両袖鏡体１０Ｂの鏡面１１を回動した場合、三面鏡として使用することができる。また、図５に示すように、袖鏡体１０Ｂを第１位置から前方に移動させた状態で鏡面部１３を回動し、第１位置よりも近い位置で、鏡面１１の角度を変えることができる。
【００２８】
次に、上記のように構成された実施例の作用および効果について説明する。
本実施例のキャビネットＭは、鏡面１１を有する袖鏡体１０Ｂと、鏡面１１を前面に立てた姿勢で袖鏡体１０Ｂを支持するキャビネット本体２０と、袖鏡体１０Ｂをキャビネット本体２０に連結する連結部材３０と、を具備し、袖鏡体１０Ｂが、連結部材３０により、第１位置と、第１位置より前側であって左右にずれた第２位置との間を、鏡面１１の向きを維持したままで往復移動自在とされている。
【００２９】
この構成によれば、鏡面１１の向きを維持したまま袖鏡体１０Ｂを第１位置より前方に移動できるから、使用者は、鏡面１１の角度を適宜調整する等の手間を要しないため、使い勝手をよくすることができる。
【００３０】
また、袖鏡体１０Ｂが複数備えられている。この構成によれば、使用目的に応じて袖鏡体１０Ｂを選択して移動することができるから、使い勝手をよりよくすることができる。
【００３１】
また、主鏡体１０Ａと、主鏡体１０Ａの左方または右方に位置する袖鏡体１０Ｂとを有し、袖鏡体１０Ｂが、連結部材３０によりキャビネット本体２０に連結され、第１位置において主鏡体１０Ａの左方又は右方に配され、第２位置において主鏡体１０Ａと前後に重なって配される。この構成によれば、キャビネットＭの左方または右方に建物の壁等が近接配置されていても、袖鏡体１０Ｂを前方（第２位置）に移動することができる。
【００３２】
また、第１位置に配された袖鏡体１０Ｂにより前面が覆われる袖収納部２５Ｂを有し、袖鏡体１０Ｂを第２位置に移動することにより袖収納部２５Ｂが開放される。この構成によれば、第１位置に配された袖鏡体１０Ｂによって袖収納部２５Ｂを覆い隠し、必要に応じて袖鏡体１０Ｂを第２位置に移動させて袖収納部２５Ｂを開放することができる。
【００３３】
また、袖鏡体１０Ｂの左右方向における一端部に、鏡面１１を回動させる回動軸が備えられている。この構成によれば、袖鏡体１０Ｂの鏡面１１を前方に移動させるのみならず回動して斜めにすることができるから、使い勝手をよりよくすることができる。
【００３４】
＜他の実施例＞
本発明は上記記述及び図面によって説明した実施例に限定されるものではなく、例えば次のような実施例も本発明の技術的範囲に含まれる。
（１）上記実施例では、左右の袖鏡体１０Ｂが第１位置から前方に移動可能とされているが、この際、第２位置における袖鏡体の位置は、様々なパターンに変更してもよい。すなわち、第２位置において左右の袖鏡体の前後方向の位置が揃うようにしてもよいし、前後にずれるようにしてもよい。このような場合には、第２位置において袖鏡体同士が突き当たらないようにするべく、連結部材により袖鏡体の移動領域を定めてもよい。例えば、第２位置において左右の袖鏡体の前後方向の位置を揃える場合には、図６に示すように、キャビネット５０の連結部材５１が、第２位置において袖鏡体１０Ｂ同士が突き当たらないように、すなわち袖鏡体１０Ｂ同士が近接もしくは隙間なく隣接するように、袖鏡体１０Ｂの移動領域を定めてもよい。袖鏡体１０Ｂの移動領域を定める手段としては、例えば図６に示すように、連結部材５１に、キャビネット本体２０に当接する当接部５２を設けてもよいし、また例えば連結部材に開き角度を制限する角度制限機構を設けてもよい。この構成によれば、左右の袖鏡体１０Ｂを第２位置に配置する際に注意を払わなくてよいから、使い勝手をよくすることができる。
（２）上記実施例では、本発明の鏡装置を洗面化粧台ＳのキャビネットＭに適用した場合を例示したが、これに限らず、本発明の鏡装置は、壁に固定されるウォールミラーや、鏡台等、鏡面を有する各種のものに適用することができ、またそれらは収納部がないものであってもよい。
（３）上記実施例では、袖鏡体１０Ｂの鏡面１１は水平面に対して常に略垂直に立っているが、これに限らず、鏡体の鏡面は、第１位置と第２位置とで平行であればよく、その角度は水平面に対して傾いていてもよい。
（４）上記実施例では、左右の袖鏡体１０Ｂのみが連結部材３０により移動可能とされているが、これに限らず、主鏡体も連結部材により連結し、平行移動できるようにしてもよい。
（５）上記実施例では、左右両方の袖鏡体１０Ｂが連結部材３０により移動可能とされているが、これに限らず、左右袖鏡体のうち一方の袖鏡体のみを連結部材により移動できるようにしてもよい。
（６）上記実施例では、袖鏡体１０Ｂが、第１位置からキャビネットＭの左右方向中央側に移動するが、これに限らず、袖鏡体は、第１位置からキャビネットの左右方向における外側、上方もしくは下方に移動するようにしてもよい。
（７）上記実施例では、袖鏡体１０Ｂが、袖収納部２５Ｂの前面全体を覆っているが、これに限らず、袖鏡体は、例えば袖収納部の上部のみ、中間部のみ、もしくは下部のみを覆うものであってもよい。すなわち、袖収納部を複数の鏡体で覆い、そのうち一の鏡体のみを連結部材で移動できるようにしてもよい。
（８）上記実施例では、キャビネットＭが主鏡体１０Ａ及び一対の袖鏡体１０Ｂからなる３つの鏡体を備えているが、これに限らず、鏡体の数は１つのみ、２つのみ、または４つ以上であってもよい。
（９）上記実施例では、連結部材３０の具体例を示したが、これに限らず、連結部材は、平行リンク機構を有していればどのような構造のものであってもよい。
（１０）上記実施例では、袖鏡体１０Ｂが二枚構造とされているが、これに限らず、袖鏡体は一枚構造であってもよい。
（１１）上記実施例では、キャビネット本体２０が樹脂製であるが、キャビネット本体は木製であってもよい。
（１２）上記実施例では、各鏡体１０Ａ，１０Ｂが、それぞれ上下方向が左右方向より長い長方形状をなしているが、これに限らず、鏡体はどのような形状であってもよく、例えば横方向に長い長方形状や正方形状であってもよい。
（１３）上記実施例では、連結部材３０の第１端部３１が、袖収納部２５Ｂの側面の前端寄りの位置に連結されているが、この連結位置は他の位置であってもよい。
（１４）上記実施例では、連結部材３０の第２端部３２が、袖鏡体１０Ｂの後面の左右方向における主鏡体１０Ａと反対側の端寄りの位置に連結されているが、この連結位置は他の位置であってもよい。
【符号の説明】
【００３５】
Ｍ…キャビネット（鏡装置）
Ｓ…洗面化粧台
Ｗ…洗面台
１０Ａ…主鏡体
１０Ｂ…袖鏡体（鏡体）
１１…鏡面
２０…キャビネット本体（支持体）
２５Ｂ…袖収納部（収納部）
３０…連結部材
【図１】
2019162208.tif 000003
【図２】
2019162208.tif 000004
【図３】
2019162208.tif 000005
【図４】
2019162208.tif 000006
【図５】
2019162208.tif 000007
【図６】
2019162208.tif 000008